(57)【要約】【課題】読影者が立体視をしやすい放射線画像を撮影する。【解決手段】被写体の正面から撮影した画像を利き目で視認して立体視するほうが、両眼と片眼で物体を見たときの差が少ないため、立体視を行いやすい。そこで、右目が利き目であるときに、正対位置Ｃ及び第１斜入位置Ｓ１において、放射線画像の撮影を行う。また、左目が利き目である場合には、正対位置Ｃ及び第２斜入位置Ｓ２において、放射線画像の撮影を行う。このようにして、正対位置Ｃから撮影された画像が利き目で視認されるようにし、読影者が立体視をしやすい放射線画像を撮影する。【選択図】図２
2010187735.tif 000002
【特許請求の範囲】
【請求項１】
被写体に放射線を照射し、前記被写体に正対方向で正対する正対位置、前記正対方向に対して角度を有する第１斜入位置、及び前記正対方向に対して前記第１斜入位置とは反対側に角度を有する第２斜入位置に移動可能な放射線源と、
前記放射線源から照射されて前記被写体を透過した放射線を検出し、その検出した放射線から放射線画像が生成される放射線検出器と、
読影者に関する読影者情報を取得し、その取得した読影者情報に基づいて前記第１斜入位置及び前記第２斜入位置の一方を選択する制御部と、
を備え、
前記制御部によって選択された前記第１斜入位置及び前記第２斜入位置の一方と前記正対位置とで放射線画像を撮影する放射線撮影装置。
【請求項２】
前記制御部は、前記読影者の利き目情報を取得し、取得した利き目情報が右目である場合に前記第１斜入位置及び前記第２斜入位置の一方を選択し、取得した利き目情報が左目である場合に前記第１斜入位置及び前記第２斜入位置の他方を選択する請求項１に記載の放射線撮影装置。
【請求項３】
前記放射線源は、前記被写体に照射する放射線量が前記第１斜入位置及び前記第２斜入位置において、前記正対位置よりも少ない請求項１又は請求項２に記載の放射線撮影装置。
【発明の詳細な説明】
【技術分野】
【０００１】
本発明は、放射線画像を撮影する放射線撮影装置に関する。
【背景技術】
【０００２】
放射線撮影装置としては、特許文献１及び特許文献２に開示される放射線撮影装置が公知である。
【０００３】
特許文献１に開示される放射線撮影装置は、被写体を実質的に正面方向から撮影して第１の画像を取得する第１の撮影手段と、正面方向に対し所定の角度をなす方向から被写体を撮影して第２の画像を取得する第２の撮影手段と、第１及び第２の画像をステレオ観察用の左右画像として利用可能に処理する処理手段とから構成されている。
【０００４】
特許文献２に開示される放射線撮影装置では、Ｘ線源１について、もとの中央位置ＸＣ（正対位置）での画像と左ＸＬまたは右ＸＲへ移動した位置（斜入位置）での画像とを組み合わせることで、種々異なった方向や視差角での立体画像を観測することを可能にする。
【先行技術文献】
【特許文献】
【０００５】
【特許文献１】特開２００３−２４５２７４号公報
【特許文献２】特開２００７−２２９２０１号公報
【発明の概要】
【発明が解決しようとする課題】
【０００６】
ところで、画像を立体視する場合は、視差のある二つの画像のうち一方を右目で視認し、他方を左目で視認することにより行われる。
【０００７】
上記の特許文献１及び特許文献２のように、被写体の正面から撮影した正対画像と、被写体に対して斜めから撮影した斜入画像とで立体視する場合、被写体に対する画像の角度が違うため、読影者が正対画像及び斜入画像のいずれを右目又は左目で視認するかによって、立体視しやすさが変化するものと考えられる。
【０００８】
本発明は、上記事実を考慮し、読影者が立体視をしやすい放射線画像を撮影できる放射線撮影装置を提供することを目的とする。
【課題を解決するための手段】
【０００９】
本発明の請求項１に係る放射線撮影装置は、被写体に放射線を照射し、前記被写体に正対方向で正対する正対位置、前記正対方向に対して角度を有する第１斜入位置、及び前記正対方向に対して前記第１斜入位置とは反対側に角度を有する第２斜入位置に移動可能な放射線源と、前記放射線源から照射されて前記被写体を透過した放射線を検出し、その検出した放射線から放射線画像が生成される放射線検出器と、読影者に関する読影者情報を取得し、その取得した読影者情報に基づいて前記第１斜入位置及び前記第２斜入位置の一方を選択する制御部と、を備え、前記制御部によって選択された前記第１斜入位置及び前記第２斜入位置の一方と前記正対位置とで放射線画像を撮影する。
【００１０】
この構成によれば、制御部が、読影者に関する読影者情報を取得し、その取得した読影者情報に基づいて第１斜入位置及び第２斜入位置の一方を選択する。
【００１１】
放射線源は、制御部によって選択された第１斜入位置及び第２斜入位置の一方と正対位置とで、被写体に放射線を照射する。
【００１２】
放射線検出器は、放射線源から照射されて被写体を透過した放射線を検出する。放射線検出器が検出した放射線から放射線画像が生成されて放射線画像が撮影される。
【００１３】
このように、読影者情報に基づいて第１斜入位置及び第２斜入位置の一方が選択されるので、第１斜入位置及び第２斜入位置のうち、読影者の立体視しやすい方向からの撮影位置を選択できる。これにより、読影者が立体視をしやすい放射線画像を撮影できる。
【００１４】
本発明の請求項２に係る放射線撮影装置は、請求項１の構成において、前記制御部は、前記読影者の利き目情報を取得し、取得した利き目情報が右目である場合に前記第１斜入位置及び前記第２斜入位置の一方を選択し、取得した利き目情報が左目である場合に前記第１斜入位置及び前記第２斜入位置の他方を選択する。
【００１５】
この構成によれば、制御部は、読影者の利き目情報を取得し、取得した利き目情報が右目である場合に第１斜入位置及び第２斜入位置の一方を選択し、取得した利き目情報が左目である場合に第１斜入位置及び第２斜入位置の他方を選択する。
【００１６】
人間は、両目のうち、どちらかが利き目となっており、立体視する場合、被写体の正面から撮影した画像を利き目で視認して立体視するほうが、両眼と片眼で物体を見たときの差が少ないため、立体視を行いやすい。
【００１７】
請求項２の構成によれば、読影者の利き目に関わらず、読影者が立体視をしやすい放射線画像を撮影できる。
【００１８】
本発明の請求項３に係る放射線撮影装置は、請求項１又は請求項２の構成において、前記放射線源は、前記被写体に照射する放射線量が前記第１斜入位置及び前記第２斜入位置において、前記正対位置よりも少ない。
【００１９】
この構成によれば、正対位置から撮影された画像の品質を確保することができ、従来と同じように、正対位置から撮影された画像のみで読影する際においても、画質を確保することができる。
【発明の効果】
【００２０】
本発明は、上記構成としたので、読影者が立体視をしやすい放射線画像を撮影できる。
【図面の簡単な説明】
【００２１】
【図１】図１は、本実施形態に係る放射線撮影装置の構成を示す概略側面図である。
【図２】図２は、本実施形態に係る放射線撮影装置の構成を示す概略正面図である。
【図３】図３は、ＭＬＯ撮影時における放射線撮影装置の構成を示す概略正面図である。
【図４】図４は、本実施形態に係る画像表示装置の概略斜視図である。
【図５】図５は、本実施形態に係る画像表示装置の概略側面図である。
【発明を実施するための形態】
【００２２】
以下に、本発明に係る実施形態の一例を図面に基づき説明する。
（放射線撮影装置の構成）
まず、放射線画像を撮影するための放射線撮影装置の構成について説明する。
【００２３】
本実施形態に係る放射線撮影装置１０は、被写体の一例としての乳房Ｎを放射線（例えば、Ｘ線）により撮影する装置であり、例えば、マンモグラフィと称される。この放射線撮影装置１０で撮影された放射線画像が後述の画像表示装置によって表示される。
【００２４】
放射線撮影装置１０は、図１に示すように、被験者Ｗが立った立位状態において、その被験者Ｗの乳房Ｎが撮影されるようになっている。以下、放射線撮影装置１０に対面する被験者Ｗに近い手前側を放射線撮影装置１０の装置前方側とし、放射線撮影装置１０に対面する被験者Ｗから離れた奥側を放射線撮影装置１０の装置後方側として説明する（図１の矢印参照）。なお、装置の前後は、これに限定されるものではない。
【００２５】
また、放射線撮影装置１０の撮影対象は、乳房Ｎに限られず、例えば、身体の他の部位、物体であっても良い。また、放射線撮影装置１０としては、被験者Ｗがいす等に座った座位状態において、その被験者Ｗの乳房Ｎを撮影する装置であってもよく、少なくとも被験者Ｗの上半身が立位した状態でその被験者Ｗの乳房Ｎが撮影される装置であればよい。
【００２６】
放射線撮影装置１０は、図１に示すように、装置前方側に設けられた側面視略Ｃ字状（コの字状）の測定部１２と、測定部１２を装置後方側から支える基台部１４と、を備えている。
【００２７】
測定部１２は、図１及び図２に示すように、立位状態にある被験者Ｗの乳房Ｎが置かれる平面状の撮影面２０が形成された撮影台２２と、乳房Ｎを撮影面２０に押し付ける圧迫板２６と、撮影台２２と圧迫板２６とを保持する保持部２８と、を備えている。
【００２８】
また、測定部１２は、管球（図示せず）が設けられその管球から撮影面２０に向けて検査用の放射線を照射する放射線源２４と、保持部２８とは分離され放射線源２４を支持する支持部２９とを備えている。
【００２９】
測定部１２には、基台部１４に回動可能に支えられている回動軸１６が設けられている。回動軸１６は、支持部２９に対して固定されており、回動軸１６と支持部２９は一体に回動するようになっている。
【００３０】
保持部２８に対しては、回動軸１６が連結されて一体に回動する状態と、回動軸１６が分離されて空転する状態とに切り替え可能とされている。具体的には、回動軸１６及び保持部２８にそれぞれギアが設けられ、このギア同士の噛合状態・非噛合状態を切替えるようになっている。
【００３１】
なお、回動軸１６の回動力の伝達・非伝達の切替えは、種々の機械要素を用いることができる。
【００３２】
保持部２８は、撮影面２０と放射線源２４とが所定間隔離れるように撮影台２２と放射線源２４とを保持するとともに、圧迫板２６と撮影面２０との間隔が可変であるように圧迫板２６をスライド移動可能に保持している。
【００３３】
乳房Ｎが当接する撮影面２０は、放射線透過性や強度の観点から、例えば、カーボンで形成されている。撮影台２２の内部には、乳房Ｎ及び撮影面２０を通過した放射線が照射され、その放射線を検出する放射線検出器３２が配置されている。放射線検出器３２が検出した放射線が可視化されて放射線画像が生成される。
【００３４】
本実施形態に係る放射線撮影装置１０は、少なくとも、乳房ＮをＣＣ撮影（頭尾方向の撮影）とＭＬＯ撮影（内外斜位方向の撮影）との両者を行うことができる装置とされている。図１及び図２は、ＣＣ撮影時における放射線撮影装置１０の姿勢を示し、図３は、撮影装置のＭＬＯ撮影時における放射線撮影装置１０の姿勢を示している。
【００３５】
図１に示すように、ＣＣ撮影時においては、撮影面２０が上方を向いた状態に保持部２８の姿勢が調整されると共に、放射線源２４が撮影面２０に対して上方に位置する状態に支持部２９の姿勢が調整される。これにより、立位状態の被験者Ｗの頭側から足側に向かって、放射線源２４から乳房Ｎへ放射線が照射されて、ＣＣ撮影（頭尾方向の撮影）がなされる。
【００３６】
また、撮影台２２の装置前方側の面には、ＣＣ撮影時において、被験者Ｗの乳房Ｎよりも下方の胸部分を当接させる胸壁面３０が形成されている。胸壁面３０は平面状とされている。
【００３７】
また、ＭＬＯ撮影時では、図３に示すように、一般的に、ＣＣ撮影時に比べて撮影台２２を４５°以上９０°未満回転させた状態に保持部２８の姿勢が調整され、撮影台２２の装置前方側の側壁角部２２Ａに被験者Ｗの腋窩を当てるようにポジショニングされる。これにより、被験者Ｗの胴体の軸中心側から外側へ向かって、放射線源２４から乳房Ｎへ放射線が照射されて、ＭＬＯ撮影（内外斜位方向の撮影）がなされる。
【００３８】
ここで、放射線撮影装置１０では、放射線源２４が、乳房Ｎに正対方向で正対する正対位置Ｃ、正対方向に対して角度を有する第１斜入位置Ｓ１、正対方向に対して第１斜入位置Ｓ１とは反対側に角度を有する第２斜入位置Ｓ２に移動可能とされている。
【００３９】
具体的には、図２に示すように、保持部２８に対して回動軸１６が空転して撮影台２２及び圧迫板２６が動かず、支持部２９が回動することにより放射線源２４のみが円弧状に正対位置Ｃ、第１斜入位置Ｓ１及び第２斜入位置Ｓ２に移動する。
【００４０】
本実施形態では、正対方向は撮影面２０に対して垂直な方向である。なお、撮影面２０に対して垂直で無くてもよい。
【００４１】
第１斜入位置Ｓ１は、正対方向に対して、例えば、３°程度の角度を有している。第２斜入位置Ｓ２は、正対方向に対して、例えば、−３°程度の角度を有している。第１斜入位置Ｓ１は、第２斜入位置Ｓ２に対して６°程度の角度を有していることになる。なお、正対方向に対する第１斜入位置Ｓ１及び第２斜入位置Ｓ２の角度は、上記の角度に限られず、立体するために必要な視差が生じる角度であればよい。
【００４２】
放射線画像を撮影する場合には、放射線源２４は、例えば、初期状態において正対位置Ｃに位置し、正対位置Ｃで撮影を行い、第１斜入位置Ｓ１及び第２斜入位置Ｓ２のいずれかに移動して撮影が行われる。ＣＣ撮影時及びＭＬＯ撮影時のいずれにおいても、第１斜入位置Ｓ１及び第２斜入位置Ｓ２の一方と正対位置Ｃとで撮影がなされ、ＣＣ撮影時及びＭＬＯ撮影時のそれぞれ、２枚の画像が撮影される。
【００４３】
例えば、乳頭を上にした状態（図４参照）で、乳房Ｎの放射線画像を表示することを前提とすると、正対位置Ｃと第１斜入位置Ｓ１で撮影した場合は、正対位置Ｃの画像が右目で視認され、第１斜入位置Ｓ１で撮影した画像が左目で視認されて立体視される。また、正対位置Ｃと第２斜入位置Ｓ２で撮影した場合は、正対位置Ｃの画像が左目で視認され、第２斜入位置Ｓ２で撮影した画像が右目で視認されて立体視される。
【００４４】
また、放射線撮影装置１０は、読影者に関する読影者情報を取得し、その取得した読影者情報に基づいて第１斜入位置Ｓ１及び前記第２斜入位置Ｓ２の一方を選択する制御部３８を備えている。
【００４５】
この制御部３８は、駆動部３６の駆動制御をし、選択した第１斜入位置Ｓ１及び前記第２斜入位置Ｓ２の一方に放射線源２４を移動させるようになっている。
【００４６】
制御部３８には、外部から入力操作が可能な入力手段としての操作パネル４０が接続されている。操作パネル４０から入力された撮影者に関する入力情報が、制御部３８で取得される。入力される撮影者に関する情報としては、例えば、読影者の利き目・視力などがある。
【００４７】
制御部３８は、撮影者の入力情報に基づき、第１斜入位置Ｓ１及び前記第２斜入位置Ｓ２の一方を選択し、放射線源２４を移動させる位置を決定し、放射線源２４を移動させる。
【００４８】
ここで、正対位置Ｃで撮影された画像を、右目及び左目のどちらの目で視認するのが立体視しやすいかによって、第１斜入位置Ｓ１及び前記第２斜入位置Ｓ２が選択される。すなわち、乳頭を上にした状態（図４参照）で乳房Ｎの放射線画像を表示する場合において、正対位置Ｃの画像を右目で視認するほうが立体視しやすいときに、第１斜入位置Ｓ１が選択され、正対位置Ｃの画像を左目で視認するほうが立体視しやすいときに、第２斜入位置Ｓ２が選択される。
【００４９】
なお、乳頭を下にした状態で乳房Ｎの放射線画像を表示する場合には、正対位置Ｃの画像を右目で視認するほうが立体視しやすいときに、第２斜入位置Ｓ２が選択され、正対位置Ｃの画像を左目で視認するほうが、立体視しやすいときに第１斜入位置Ｓ１が選択される。
【００５０】
例えば、被写体の正面から撮影した画像を利き目で視認して立体視するほうが、両眼と片眼で物体を見たときの差が少ないため、立体視を行いやすい。
【００５１】
従って、例えば、制御部３８は、右目が利き目であるという利き目情報を取得した場合に、第１斜入位置Ｓ１を選択し、放射線源２４を第１斜入位置Ｓ１に移動させる。これにより、正対位置Ｃ及び第１斜入位置Ｓ１において、放射線画像の撮影がなされる。
【００５２】
左目が利き目であるという利き目情報を取得した場合には、制御部３８は、第２斜入位置Ｓ２を選択し、放射線源２４を第２斜入位置Ｓ２に移動させる。これにより、正対位置Ｃ及び第２斜入位置Ｓ２において、放射線画像の撮影がなされる。
【００５３】
制御部３８は、放射線源２４の放射線量も制御し、第１斜入位置Ｓ１及び第２斜入位置Ｓ２における放射線量を、正対位置Ｃにおける放射線量よりも少なくする。
【００５４】
正対方向からの放射線量を多くすることにより、通常のマンモグラフィと同じ撮影である正対方向で撮影した画像の品質が確保される。これにより、従来と同じように、正対位置Ｃから撮影した画像を読影する際に画質が確保されるので、通常のマンモグラフィ画像と容易に比較読影が可能である。
【００５５】
（画像表示装置の構成）
次に、画像表示装置の構成について説明する。
【００５６】
本実施形態に係る画像表示装置５０は、図４及び図５に示すように、画像を表示するための表示画面５２と、ビームスプリッターミラー（偏光板）５４とを有している。表示画面５２は、上部側に配置された上部画面５２Ａと、下部側に配置された下部画面５２Ｂとから構成されている。
【００５７】
例えば、読影者の右目が利き目の場合では、上部画面５２Ａに、正対位置Ｃにある放射線源２４により撮影された画像を表示させる。上部画面５２Ａに表示された画像は、ビームスプリッターミラー（偏光板）５４で反射して、偏向メガネ５６を装着した読影者の右目で視認される。
【００５８】
下部画面５２Ｂには、第１斜入位置Ｓ１にある放射線源２４により撮影された画像を表示させる。下部画面５２Ｂに表示された画像は、ビームスプリッターミラー（偏光板）５４を通過して、偏向メガネ５６を装着した読影者の左目で視認される。これにより、正対位置Ｃからの画像を利き目で視認するので、読影者は、立体視しやすくなる。
【００５９】
本発明は、マンモグラフィや上記の実施形態に限るものではなく、種々の変形、変更、改良が可能である。
【符号の説明】
【００６０】
１０   放射線撮影装置
２４   放射線源
３２   放射線検出器
３８   制御部
Ｃ     正対位置
Ｓ１   斜入位置
Ｓ２   斜入位置
【図１】
2010187735.tif 000003
【図２】
2010187735.tif 000004
【図３】
2010187735.tif 000005
【図４】
2010187735.tif 000006
【図５】
2010187735.tif 000007